(57)【特許請求の範囲】
【請求項１】
取引を受付ける取引手段と、
現金を収納する現金収納部と、
上記取引手段で、出金取引を受付けた場合、出金する現金を、上記現金収納部から出金する現金と、現金を収納する現金管理装置から出金する現金に分類する分類手段と、
上記分類手段で上記現金管理装置から出金すると分類された現金を出金するように上記現金管理装置を制御し、上記分類手段で上記現金収納部から出金すると分類された現金を出金するように上記現金収納部を制御する制御手段とを有し、
上記分類手段は、出金する現金のうち小束及び又は包装硬貨の単位で出金可能な現金については上記現金管理装置から出金するものと分類し、それ以外の現金については上記現金収納部から出金すると分類する
ことを特徴とする現金処理装置。
【請求項２】
上記分類手段で上記現金管理装置から出金するものとして分類された現金について複数の上記現金管理装置から出金可能な現金管理装置を選択する選択手段をさらに有し、
上記制御手段は、上記選択手段が選択した現金管理装置と通信して、上記分類手段で上記現金管理装置から出金するものとして分類された現金の出金を行うように制御する
ことを特徴とする請求項１に記載の現金処理装置。
【請求項３】
取引に係る内容を媒体に印字したレシートを出力するものであって、少なくとも、上記レシートに上記選択手段が選択した上記現金管理装置の識別子を印字する印字手段をさらに備えることを特徴とする請求項２に記載の現金処理装置。
【請求項４】
上記制御手段は、上記選択手段が選択した上記現金管理装置を制御して現金の出金をさせる際に、当該出金取引の内容と、当該出金取引を識別するための取引識別子とを、上記現金管理装置に通知し、
上記印字手段は、上記レシートにさらに上記取引識別子を印字する
ことを特徴とする請求項３に記載の現金処理装置。
【請求項５】
それぞれの上記現金管理装置に収納されている金種ごとの現金の量を確認する確認手段をさらに備え、
上記選択手段は、上記現金管理装置から出金すると分類された分の現金を収納している上記現金管理装置を選択する
ことを特徴とする請求項２に記載の現金処理装置。
【請求項６】
取引を受付ける取引手段と、
現金を収納する現金収納部と、
上記取引手段で、出金取引を受付けた場合、出金する現金を、上記現金収納部から出金する現金と、現金を収納する現金管理装置から出金する現金に分類する分類手段と、
上記分類手段で上記現金管理装置から出金すると分類された現金を出金するように上記現金管理装置を制御し、上記分類手段で上記現金収納部から出金すると分類された現金を出金するように上記現金収納部を制御する制御手段とを有し、
上記分類手段は、出金する現金のうち予め設定した一定量以上の小束及び又は包装硬貨については上記現金管理装置から出金するものと分類し、それ以外の現金については上記現金収納部から出金すると分類する
ことを特徴とする現金処理装置。
【請求項７】
現金を収納する複数の現金管理装置と、現金の管理を行う現金処理装置とを備える現金処理システムにおいて、上記現金処理装置として請求項１〜６のいずれかに記載の現金処理装置を適用したことを特徴とする現金処理システム。
【発明の詳細な説明】
【技術分野】
【０００１】
本発明は、現金処理装置及び現金処理システムに関し、例えば、金融機関等の店舗において現金を収納管理する現金処理装置に適用し得るものである。
【背景技術】
【０００２】
例えば、銀行等の金融機関は、各店舗において、現金の入出金管理や店舗内の現金在高を管理する出納機を有している。例えば、オペレータ（金融機関の係員）が出納機に入金を行う際、出納機が満杯であり現金が入りきらない場合、オペレータは現金管理装置（一般に、「システム現金バス」、または「精査機能付現金バス」と呼ばれる。以下、「現金バス」又は「現金バス装置」と呼ぶ）に現金を収納（保管）しておく。
【０００３】
現金バスは、小束紙幣や棒金を金種毎に収納する複数段の収納庫を有している。現金が出納機に入りきれない場合、オペレータは紙幣を束ねて小束紙幣（小束）にして又は硬貨を包んで包装硬貨（棒金）にした後、オペレータが現金バスの収納庫を開いて、オペレータが小束紙幣又は棒金を収納庫に収納する。
【０００４】
そして、従来の出納機では、現金バスと連携し、現金バスからの出金も管理することができるものもある（特許文献１、２参照）。
【先行技術文献】
【特許文献】
【０００５】
【特許文献１】特開２０１０−１２２８８９号公報
【特許文献２】特開２０１２−０２７６６３号公報
【発明の概要】
【発明が解決しようとする課題】
【０００６】
しかしながら、従来の出納機（小束、包装硬貨を出金する機能が無い、小型の入出金機）では、現金バスが接続されている場合、現金バスを指定して出金する操作をしなければならなかった。すなわち、従来の出納機を利用するオペレータは、出金しようとする現金を出納機のユニットから出金するか、現金バスから出金するか、分けて入力を行う必要があり、出金するまでの作業が煩雑になる場合があった。
【０００７】
また、従来の出納機では、複数の現金バスが接続されている場合、出金する現金バスを指定して出金する操作をしなければならなかった。すなわち、従来の出納機を利用するオペレータは、出金しようとする現金が出金可能な現金バスを予め確認しておく必要があり、出金するまでの作業が煩雑になる場合があった。
【０００８】
そのため、現金処理装置（例えば、出納機）を操作して現金管理装置（例えば、現金バス）から現金を出金する際の作業量を低減することができる現金処理装置及び現金処理システムが望まれている。
【課題を解決するための手段】
【０００９】
第１の本発明の現金処理装置は、（１）取引を受付ける取引手段と、（２）現金を収納する現金収納部と、（３）上記取引手段で、出金取引を受付けた場合、出金する現金を、上記現金収納部から出金する現金と、現金を収納する現金管理装置から出金する現金に分類する分類手段と、（４）上記分類手段で上記現金管理装置から出金すると分類された現金を出金するように上記現金管理装置を制御し、上記分類手段で上記現金収納部から出金すると分類された現金を出金するように上記現金収納部を制御する制御手段とを有し、（５）上記分類手段は、出金する現金のうち小束及び又は包装硬貨の単位で出金可能な現金については上記現金管理装置から出金するものと分類し、それ以外の現金については上記現金収納部から出金すると分類することを特徴とする。
第２本発明の現金処理装置は、（１）取引を受付ける取引手段と、（２）現金を収納する現金収納部と、（３）上記取引手段で、出金取引を受付けた場合、出金する現金を、上記現金収納部から出金する現金と、現金を収納する現金管理装置から出金する現金に分類する分類手段と、（４）上記分類手段で上記現金管理装置から出金すると分類された現金を出金するように上記現金管理装置を制御し、上記分類手段で上記現金収納部から出金すると分類された現金を出金するように上記現金収納部を制御する制御手段とを有し、（５）上記分類手段は、出金する現金のうち予め設定した一定量以上の小束及び又は包装硬貨については上記現金管理装置から出金するものと分類し、それ以外の現金については上記現金収納部から出金すると分類することを特徴とする。
【００１０】
第３の本発明の現金処理システムは、現金を収納する複数の現金管理装置と、現金の管理を行う現金処理装置とを備える現金処理システムにおいて、上記現金処理装置として第１の本発明の現金処理装置を適用したことを特徴とする現金処理システム。
【発明の効果】
【００１１】
本発明によれば、現金処理装置を操作して現金管理装置から現金を出金する際の作業量を低減することができる。
【図面の簡単な説明】
【００１２】
【図１】実施形態に係る出納機の動作について示したフローチャートである。
【図２】実施形態に係る現金処理システムの全体構成を示すブロック図である。
【図３】実施形態に係る出納機の外観構成を示す斜視図である。
【図４】実施形態に係る出納機の機能的構成について示したブロック図である。
【図５】実施形態に係る現金バス装置の外観を示す斜視図である。
【図６】実施形態に係る現金バス装置の機能的構成を示すブロック図である。
【図７】実施形態に係る出納機で出金取引を行う際に表示される出金内容入力画面の構成例について示した説明図である。
【図８】実施形態に係る出納機で出金取引の際に印字されるレシート（伝票）の構成例について示した説明図である。
【発明を実施するための形態】
【００１３】
（Ａ）主たる実施形態
以下、本発明による現金処理装置及び現金処理システムの一実施形態を、図面を参照しながら詳述する。以下では、本発明の現金処理装置を出納機に適用した場合の例について説明する。
【００１４】
（Ａ−１）実施形態の構成
（Ａ−１−１）現金処理システムの全体構成
図２は、実施形態に係る現金処理システムの全体構成を示す構成図である。
【００１５】
図２において、実施形態に係る現金処理システム１００は、現金処理装置としての出納機２０と、現金管理装置としての複数の現金バス装置１０とを有する。この実施形態では、出納機２０に２台の現金バス装置１０−１、１０−２がネットワークＮを介して通信により接続（例えば、ＬＡＮインタフェース等のネットワークインタフェースにより接続）されているものとして説明する。ただし、現金処理システム１００において、現金バス装置１０の数は限定されないものである。
【００１６】
図２の現金処理システム１００は、例えば銀行等の金融機関の店舗内に設けられるものである。現金処理システム１００は、店舗において複数台の出納機２０を備えるようにしても良い。
【００１７】
出納機２０は、金融機関の店舗内での現金の出金又は入金を管理するものである。例えば、出納機２０は、金融機関の店舗において接客用カウンタの後方等のようにお客から離れた位置に設置される。また、出納機２０は、それぞれ対応する現金バス装置１０に保管される現金在高を管理する。
【００１８】
現金バス装置１０は、所定枚数の紙幣を紙帯で施封した小束紙幣（以下単に「小束」ともいう）や、所定枚数単位の硬貨を棒状に重ねて包んだ包装硬貨（以下、「棒金」とも呼ぶ）を収納するものである。例えば、現金バス装置１０は、金融機関のオペレータ（係員）に使用されるものであり、出納機２０の近い位置に配置される。  現金バス装置１０は、それぞれ対応する出納機２０−１及び２０−２の制御により現金在高が管理される。
【００１９】
例えば、オペレータが現金バス装置１０に現金を収納又は取り出す場合、オペレータが出納機２０において金種毎の収納額又は取り出し額を入力する。これにより、出納機２０は、現金バス管理装置１０の収納又は取り出しの取引に対応する識別子としての通番（以下、「連携番号」又は「取引識別子」と呼ぶ）の発行を行う。オペレータは、現金バス装置１０において、発行された連携番号に基づいて所定入力を行う。そして、現金バス装置１０は、入力された連携番号に基づいて、金種に対応する収納庫の表示や開錠等の誘導処理を行う。これにより、現金バス装置１０への現金の収納又は取り出しが可能となる。
【００２０】
（Ａ−１−２）出納機２０の構成
図３は、出納機２０の外観の斜視図である。また、図４は、実施形態に係る出納機２０の機能的構成について示したブロック図である。
【００２１】
図３、図４において、実施形態に係る出納機２０は、紙幣入出金機２０１、施封小束支払機２０２、紙幣補充回収機２０３、新券支払機２０４、棒金支払機２０５、硬貨入出金機２０６、現金外ポスト２０７、制御装置２０８、認証プリンタ２０９、ディスプレイ２１０、キーボード２１１、記憶部２１２及び通信ＩＦ２１３を有する。
【００２２】
出納機２０は、上述した複数の構成要素を備えるものである。出納機２０の構成要素の配列は、図３に例示するものに限定されない。出納機２０の構成要素の全部又は一部の配置は、必要に応じて変えるようにしても良い。
【００２３】
また、出納機２０は、各構成要素の間で紙幣を搬送する搬送路を内部に備える。例えば、施封小束支払機２０２、紙幣補充回収機２０３及び紙幣入出金機２０１は、装置間で紙幣を搬送する搬送路を内部に備える。これにより、例えば紙幣入出金機２０１に入金された紙幣を、施封小束支払機２０２や紙幣補充回収機２０３に搬送することができる。
【００２４】
制御装置２０８は、出納機２０全体の機能を制御するものである。制御装置２０８は、例えば、ＣＰＵ、ＲＯＭ、ＲＡＭ、ＥＥＰＲＯＭ、入出力インタフェース等を用いて構成されている。制御装置２０８は、入力手段としてのキーボード２１１から入力情報を取得し、出納機２０の各種機能を制御する。
【００２５】
記憶部２１２は、制御装置２０８がデータ処理等に利用する種々のデータを記憶する記憶手段である。
【００２６】
通信ＩＦ２１３は、当該出納機２０（制御装置２０８）を外部装置（現金バス装置１０等）と接続させるための通信インタフェースである。
【００２７】
紙幣入出金機２０１は、１枚単位で紙幣を入金又は出金（バラ紙幣の入出金）を行うものである。また、紙幣入出金機２０１は、複数枚の紙幣を縦置き又は横置きに収納する紙幣カセットを有している。紙幣入出金機２０１は、紙幣カセットに収納された紙幣を１枚ずつ装置内部の搬送路を介して施封小束支払機２０２に搬送する。これにより、紙幣入出金機２０１の紙幣カセットに収納された紙幣を小束に施封することができる。
【００２８】
施封小束支払機２０２は、金種別の紙幣を所定枚数（例えば１００枚）毎に施封して小束にした状態で収納したり又は出金したりするものである。施封小束支払機２０２は、紙幣入出金機２０１から搬送された紙幣を所定枚数ずつ計数し、所定枚数の紙幣を金種別に施封する。
【００２９】
紙幣補充回収機２０３は、例えばＡＴＭ等の現金自動預払機の現金カセットに紙幣を補充したり又は現金カセットから現金を回収したりするものである。例えば、紙幣補充回収機２０３は、現金自動預払機から脱着した現金カセットを内部にセットすることができる。そして、紙幣補充回収機２０３は、制御装置２０８の制御を受けて、セットされた現金カセットに紙幣を補充したり又は回収したりする。
【００３０】
新券支払機２０４は、各金種の新券を出金するものである。
【００３１】
棒金支払機２０５は、金種別の硬貨を所定枚数毎に棒状に重ねて、例えば樹脂フィルム等で包んだ棒金を出金するものである。例えば、棒金支払機２０５は、複数の硬貨を収納する収納部を有している。そして、棒金支払機２０５は、制御装置２０８の制御を受けて、収納部に収納される硬貨を計数し、所定枚数の硬貨を重ねて樹脂フィルム等で包んで棒金を出金する。
【００３２】
硬貨入出金機２０６は、１枚単位で硬貨を入金又は出金（バラ硬貨の入出金）を行うものである。
【００３３】
現金外ポスト２０７は、例えば小切手や定期預金証書等の有価証券を取り込んで収納するものである。
【００３４】
認証プリンタ２０９は、紙幣入出金機２０１、施封小束支払機２０２、紙幣補充回収機２０３、新券支払機２０４、棒金支払機２０５、硬貨入出金機２０６で行われる入金や出金などの処理内容（取引）を用紙（媒体）に印字してレシート（伝票）として出力するものである。
【００３５】
ディスプレイ２１０は、例えば、出納機１０における各種処理の選択メニューや、各種処理に必要な操作画面や、キーボード２１１を通じて入力された入力情報等を表示する表示手段である。
【００３６】
キーボード２１１は、利用者操作により情報を入力する入力手段である。なお、ここでは、キーボード２１１は入力手段の一例であり、入力手段はマウスやテンキー等その他入力手段を含む概念である。また、この実施形態では、ディスプレイ２１０とキーボード２１１とが物理的に異なる手段として説明するが、入力手段が例えばタッチパネル等のようにディスプレイと一体型ものであっても良い。
【００３７】
（Ａ−１−３）現金バス装置１０の構成
以下では、現金バス装置１０−１、１０−２はいずれも同じ構成であるものとして説明する。図５は、実施形態に係る現金バス装置１０の外観の斜視図である。また、図６は、実施形態に係る現金バス装置１０の制御系の構成について示したブロック図である。
【００３８】
図５において、実施形態の現金バス装置１０は、箱型の現金バス装置本体１１、現金バス装置本体１１の内部に収納可能な複数段（図５では８段）の収納庫１２（１２（ａ）〜１２（ｃ））、操作表示部１５、プリンタ１６を有する。
【００３９】
複数段の収納庫１２（１２（ａ）〜１２（ｃ））はそれぞれ、紙幣の小束や棒金を金種別に収納するものである。各収納庫１２は、現金バス装置本体１１の内部の左右側壁に設けられた図示しないスライドレールに案内されてスライド開閉する。
【００４０】
複数段の収納庫１２のうち最も上側にある収納庫１２（ａ）は、予備収納庫である。予備収納庫としての収納庫１２（ａ）は、例えば、結束されていない紙幣、包装されていない硬貨、汚損紙幣や汚損硬貨、金券等を収納するものである。
【００４１】
収納庫１２（ａ）以外の収納庫１２（ｂ）及び収納庫１２（ｃ）は、小束や棒金を金種別に収納するものである。収納庫１２（ｂ）及び収納庫１２（ｃ）に収納される金種は、特に限定されるものではない。例えば、収納庫１２（ｂ）及び収納庫１２（ｃ）に収納される金種が予め設定されているものであっても良い。
【００４２】
例えば、図５の場合、４段の収納庫１２（ｂ）は小束を金種別に収納する小束収納庫とし、３段の収納庫１２（ｃ）は棒金を金種別に収納する棒金収納庫１２（ｃ）とする。
【００４３】
なお、小束収納庫としての収納庫１２（ｂ）や棒金収納庫としての収納庫１２（ｃ）の数は、特に限定されるものではなく任意に設定可能である。例えば、収納庫１２（ｂ）及び収納庫１２（ｃ）の全てを小束収納庫又は硬貨収納庫としても良い。また例えば、収納庫１２（ｂ）が硬貨収納庫であり、収納庫１２（ｃ）が紙幣収納庫であっても良い。
【００４４】
複数段の収納庫１２のそれぞれは、現金バス装置本体１１の内部に設けてあるロック機構２２により個別に解錠又は施錠される。それぞれの収納庫１２は、ロック機構２２により解錠されるとスライド可能となる。そして、再度、収納庫１２が現金バス装置本体１１に収めされると、収納庫１２はロック機構２２により個別に施錠される。なお、ロック機構２２は、種々のロック機構を広く適用することができ、例えば電子ロック機構（電子錠機構）等を適用することができる。
【００４５】
なお、各現金バス装置１０を構成する収納庫１２の数や用途（収納する金種）の組合せについては限定されないものである。
【００４６】
次に、現金バス装置１０の制御系の構成について図６を用いて説明する。
【００４７】
図６に示すように、現金バス装置１０は、制御系の構成要素として制御部２５、記憶部２６、操作表示部１５、プリンタ１６、警報手段１４、通信ＩＦ２７、ロック機構２２、表示部２３、及びセンサ機構２８を有する。
【００４８】
制御部２５は、現金バス装置１０の機能を司るものである。
【００４９】
記憶部２６は、それぞれの収納庫１２に収納される小束又は棒金の金種や数量を記憶するものである。
【００５０】
通信ＩＦ２７は、ネットワークＮを経由して出納機２０と通信するための通信インタフェースの機能を担っている。
【００５１】
ロック機構２２は、それぞれの収納庫１２をロックする鍵機構である。例えば、ロック機構２２は、電子ロック機構等を適用することができる。
【００５２】
表示部２３は、それぞれの収納庫１２の付近に設けられたものである。表示部２３は、例えば、ロック機構２２によりロック解除がされた場合に点灯又は点滅するものである。また、表示部２３は、現金バス装置１０の在高点検の際に、制御部２５の制御を受けて、在高がある収納庫１２について点灯又は点滅を行い、在高がない収納庫１２については点灯又は点滅をしない。表示部２３は、１個の収納庫１２に対して、１個であっても良いし又は複数個であっても良い。
【００５３】
操作表示部１５は、利用者による操作入力がなされるものであり、又は装置状態や利用者に入力された入力情報を表示するものである。操作表示部１５は、利用者に対してガイダンスを表示する表示部１７と、利用者認証のためのＩＤカードを操作するカードリーダ１８と、入力手段としての操作キーボード１９とを有する。
【００５４】
プリンタ１６は、現金バス装置１０に収納される在高情報等を、用紙などの媒体に印字して出力するものである。
【００５５】
警報手段１４は、例えば、警告音や警報音等を出力するものである。
【００５６】
センサ機構２８は、各収納庫１２（１２（ａ）〜１２（ｃ））で収納されている小束又は棒金の数量（金種ごとの数量）を検知するものであり、例えば、図示しないセンサ群（例えば、機械的又は光学的に検知するセンサ）により構成することができる。
【００５７】
（Ａ−１−４）現金処理システム１００の出金取引に係る構成
次に、現金処理システム１００における出金取引に係る構成（主として出納機２０における制御装置２０８の構成）について説明する。
【００５８】
図２に示すように、制御装置２０８は、現金管理部２０８ａ及び出金取引処理部２０８ｂを有している。また、記憶部２１２は、制御装置２０８が利用する情報として現金収納情報２１２ａを記憶している。
【００５９】
現金管理部２０８ａは、出納機２０及び各現金バス装置１０に収納されている現金を管理する機能を担っている。具体的には、現金管理部２０８ａは、各現金バス装置１０と通信して、各現金バス装置１０に収納されている現金の量を確認する。また、現金管理部２０８ａは、自装置内の現金の量（金種ごとの現金の枚数及び有高）も確認可能であるものとする。そして、現金管理部２０８ａは、確認した内容に基づいて記憶部２１２の現金収納情報２１２ａを更新する。すなわち、現金収納情報２１２ａには、現在の出納機２０及び各現金バス装置１０に収納されている現金の量が記録されている。現金管理部２０８ａは任意のタイミングで各現金バス装置１０に、収納している現金の量を問い合わせて、現金収納情報２１２ａを更新するものとする。
【００６０】
現金収納情報２１２ａのデータ構成については限定されないものであるが、ここでは例として、現金収納情報２１２ａには、各現金バス装置１０に収納されている各金種の紙幣の小束の数、及び、各金種の硬貨の棒金の数が記録されているものとする。また、現金収納情報２１２ａには、出納機２０に収納されている現金（出金可能な現金）の量（枚数）が金種ごとに管理されているものとする。なお、この実施形態では、各現金バス装置１０に対して、それぞれ識別子（以下、「現金バスＩＤ」と呼ぶ）が付与されているものとする。以下では、現金バス装置１０−１、１０−２の現金バスＩＤが、それぞれ「００１」、「００２」であるものとして説明する。
【００６１】
現金バス装置１０の制御部２５では、各センサの検知結果に基づいて自装置に収納している現金の量（金種ごとの小束又は棒金の数）を把握可能である。そして、制御部２５は、出納機２０からの問い合わせに応じて、自装置で収納している現金の量を返答するように構成されているものとする。
【００６２】
出金取引処理部２０８ｂは、ディスプレイ２１０及びキーボード２１１をユーザインタフェースとしてオペレータと取引（例えば、操作画面等を用いた取引処理）により、現金の出金取引（出金処理）を行う。具体的には、出金取引処理部２０８ｂは、オペレータから出金取引の内容（金種ごとの枚数）の入力を受付ける。そして、出金取引処理部２０８ｂは、小束及び棒金（１００枚単位の紙幣、又は、５０枚単位の硬貨）についてはいずれかの現金バス装置１０を選択して支払い、バラ紙幣及びバラ硬貨については出納機２０から支払う処理を行うものとする。なお、現金バス装置１０から支払う現金と、出納機２０から支払う現金の分類の仕方については限定されないものである。なお以下では、出納機２０から現金を支払うことを「機械払い」、現金バス装置１０から現金を支払うことを「現金バス払い」とも呼ぶものとする。
【００６３】
この実施形態では、出金取引処理部２０８ｂは、１００枚単位の紙幣（小束単位の紙幣）、又は、５０枚単位の硬貨の支払い（棒金単位の硬貨）については現金バス払いと分類し、それ以外の現金（バラ硬貨、及びバラ紙幣）については機械払いと分類するものとして説明する。例えば、出金取引処理部２０８ｂは、１００円硬貨を１００枚と、１千円紙幣を２枚の出金取引（計１２０００円分）の入力を受けると、１千円紙幣×２枚のバラ紙幣（２０００円）を機械払い分として分類し、１００円硬貨の棒金×２本（１００００円）を現金バス払いとして分類することになる。
【００６４】
出金取引処理部２０８ｂは、支払処理の際に、オペレータから金種ごとの量（小束及び棒金の数）の入力を受付ける。そして、出金取引処理部２０８ｂは、各現金バス装置１０における現金の収納状況（この実施形態では現金収納情報２１２ａの内容）に基づいて、オペレータから入力された内容の現金を支払い可能な現金バス装置１０を選択し、選択した現金バス装置１０から現金の支払いを行うように処理を行う。
【００６５】
そして、出金取引処理部２０８ｂは、現金バス装置１０から支払う現金の量（金種ごとの小束の数及び棒金の数）を確認すると、現金収納情報２１２ａに基づいて、その現金の支払いが可能な現金バス装置１０を選択する。そして、出金取引処理部２０８ｂは、出納機２０から支払う分については、自装置の紙幣入出金機２０１及び硬貨入出金機２０６を制御して出金すると共に、現金バス装置１０から現金の支払いを行うための連携番号を付与する。そして、出金取引処理部２０８ｂは、選択した現金バス装置１０に、今回の出金取引に係る連携番号と、当該現金バス装置１０から支払う現金の量（金種ごとの小束の数及び棒金の数）を通知（通信により通知）する処理を行う。
【００６６】
また、出金取引処理部２０８ｂは、少なくとも今回の出金取引に係る連携番号と、選択した現金バス装置１０の現金バスＩＤと、当該現金バス装置１０から支払う現金の量（金種ごとの小束の数及び棒金の数）を印字したレシートを発行するように認証プリンタ２０９を制御する。なお、レシートとしては、少なくとも現金バスＩＤと連携番号が印字されていれば良い。そして、オペレータは、レシートに記載された現金バスＩＤに対応する現金バス装置１０を操作し、当該レシートに記載された連携番号を入力することで、収納庫１２のロック機構２２を開錠し、今回の出金取引に係る現金（小束及び棒金）の取り出しが可能となる。
【００６７】
以上のように、この実施形態の出納機２０では、制御装置２０８の出金取引処理部２０８ｂにより、取引を受付ける取引手段、出金する現金バス装置１０を選択する選択手段、現金バス装置１０と通信して制御（連携）する制御手段、及び出金する現金を機械払い分と現金バス払い分に分類する分類手段として機能する。また、この実施形態の出納機２０では、紙幣入出金機２０１及び硬貨入出金機２０６等により現金収納部が構成されている。また、この実施形態の出納機２０では、制御装置２０８の現金管理部２０８ａにより、各現金バス装置１０に収納されている現金の量を確認する確認手段が構成されている。さらにまた、この実施形態の出納機２０では、制御装置２０８の出金取引処理部２０８ｂ及び認証プリンタ２０９によりレシート（伝票）を印字する印字手段が構成されている。
【００６８】
（Ａ−２）実施形態の動作
次に、以上のような構成を有する現金処理システム１００における出納機２０の動作を説明する。
【００６９】
図１は、出納機２０で、オペレータにいずれかの現金バス装置１０からの支払い（出金）を行う処理について、示したフローチャートである。
【００７０】
まず、オペレータにより出納機２０のキーボード２１１が操作されて認証情報（例えば、ログインＩＤやパスワード等を用いた認証）が入力され、制御装置２０８が認証処理を行ったものとする（Ｓ１０１）。ここでは、その認証が成功し、制御装置２０８が、当該オペレータとの取引処理が開始したものとする。
【００７１】
そして、制御装置２０８は、オペレータとの取引処理を開始すると、ディスプレイ２１０に、実行可能な処理の選択画面(メインメニュー)を表示させ（Ｓ１０２）、オペレータから出金取引を選択する操作（キーボード２１１を用いた選択操作）を受付けたものとする（Ｓ１０３）。
【００７２】
そして、制御装置２０８は、オペレータとの出金取引を開始すると、ディスプレイ２１０に出金取引の操作画面を表示させて、今回出金する現金の合計金額（以下、「伝票金額」とも呼ぶ）の入力を受付ける（Ｓ１０４、Ｓ１０５）。
【００７３】
次に、制御装置２０８は、オペレータから出金する現金の金種ごとの数量の入力（伝票金額を出金する際の各金種の数量）を受付ける（Ｓ１０６）。
【００７４】
例えば、制御装置２０８は、ディスプレイ２１０に出金する現金の金種ごとの数量の入力する操作画面（以下、「出金内容入力画面」と呼ぶ）を表示させて、オペレータからの操作を受付ける。
【００７５】
図７は、出金内容入力画面の構成例について示した説明図である。図７に示す出金内容入力画面では、入力された伝票金額を表示するフィールドＦ１０１と、金種ごとの数量（枚数）の入力を受付けるためのフィールドＦ１０２と、入力を完了して取引を続行するための完了ボタンＢ１０１と、取引を中止するためのボタンＢ１０２とが配置されている。
【００７６】
この実施形態では、図７のフィールドＦ１０２に示すように、万券（１万円紙幣）、５千円券、１千円券、５００円硬貨、１００円硬貨、５０円硬貨、１０円硬貨、５円硬貨、１円硬貨の金種について、それぞれ数量（枚数）の入力が可能となっているものとする。
【００７７】
そして、出金内容入力画面で完了キーＢ１０１が押下されると（Ｓ１０７）、制御装置２０８は、出金内容入力画面での入力内容に基づいて、現金バス払い分の現金（金種ごとの数量）と、機械払い分の現金（金種ごとの数量）を分類する（Ｓ１０８）。例えば、図７では万券が１０５枚、１千円券が１０５枚入力されている。制御装置２０８は万券５枚、１千円券５枚を機械払い分とし、万券が１束（１００枚）、１千円券が１束（１００枚）を現金バス払い分と分類をする。硬貨も紙幣と同様に分類分けを行う。なお、ここでは、現金バス支払い分及び機械払い分の現金が発生したものとして以下の説明を行う。
【００７８】
次に、制御装置２０８は、現金収納情報２１２ａに基づいて、ステップＳ１０８で決定した現金バス払い分の現金（金種ごとの数量）の出金が可能な現金バス装置１０を選択する（Ｓ１０９）。
【００７９】
ここでは、現金バス払い分の現金の出金が可能な現金バス装置１０として、現金バス装置１０−１（現金バスＩＤ：００１）が選択されたものとする。
【００８０】
次に、制御装置２０８は、今回の出金取引で用いられる連携番号を発行する（Ｓ１１０）。
【００８１】
連携番号の形式については限定されないものであるが、例えば、所定の番号から昇順に発行するようにしてもよい。ここでは連携番号として、「１２３４５６」が発行されたものとして以下の説明を行う。
【００８２】
次に、制御装置２０８は、選択した現金バス装置１０と通信して、今回の出金取引に係る連携処理（今回の出金取引に伴う現金バス払いの登録）を行う（Ｓ１１１）。具体的には、制御装置２０８は、選択した現金バス装置１０と通信して、今回の出金取引の内容（少なくとも、連携番号、及び現金バス払い分の金種ごとの数量を含む内容）を通知する処理を行う。
【００８３】
次に、制御装置２０８は、紙幣入出金機２０１及び硬貨入出金機２０６を制御して、上述のステップＳ１０８で決定した機械払い分の現金を出金するように制御する（Ｓ１１２）。
【００８４】
次に、制御装置２０８は、認証プリンタ２０９を制御して、今回の出金取引の内容を印字したレシート（伝票）を発行する処理を行う（Ｓ１１３）。
【００８５】
出金取引のレシート（現金バス装置１０からの出金を伴う出金取引のレシート）には、少なくとも、出金する現金バス装置１０（選択された現金バス装置１０）の現金バスＩＤ、及び連携番号が印字される。
【００８６】
図８は、出金取引のレシート（現金バス装置１０からの出金を伴う出金取引のレシート）の構成例（印字例）について示した説明図である。
【００８７】
図８に示すレシートには、出金取引の内容（出金取引の合計金額及び金種ごとの数量）と、機械払い分の内容（機械払い分の合計金額及び金種ごとの数量）、現金バス払い分の内容とが印字されている。図８に示す現金バス払い分の内容には、現金バス払い分の合計金額及び金種ごとの数量に加えて、現金バスＩＤ（図８では「００１」）及び連携番号（図８では、「１２３４５６」）が印字されている。
【００８８】
オペレータは、このレシートに記載された現金バスＩＤに対応する現金バス装置１０を操作して、連携番号を入力することにより、対応する収納庫１２のロック機構２２を開錠し、出金取引に係る現金（小束及び棒金）を取り出すことが可能になる。
【００８９】
（Ａ−３）実施形態の効果
この実施形態によれば、以下のような効果を奏することができる。
【００９０】
この実施形態では、出納機２０の制御装置２０８が、出金取引に際して、各現金バス装置１０に収納されている現金を確認し、今回の出金に必要な現金を収納している現金バス装置１０を選択して連携する処理を行っている。これにより、例えば、出納機２０に小束や棒金の支払機能が搭載されていない場合でも、現金バス装置１０と連携させることで、あたかも現金バス装置１０を出納機２０のユニットのように扱うことができる。
【００９１】
例えば、従来の現金バス装置が接続されている出納機では、出金取引時に、オペレータが、出金する現金バス装置の指定、及び機械払い分と、現金バス払い分を計算して分けて入力（手動での入力）を行う必要があった。すなわち、従来の出納機では、現金バス装置が接続されていても、オペレータは、出納機本体に収納されている現金と、現金バス装置に収納されている現金を確認した上で、装置ごとに出金する金額及び金種を指定した入力を行わなくてはならなかった。特に、従来の出納機に、複数の現金バス装置が接続されている場合、オペレータは、それぞれの現金バス装置について収納されている現金を確認してからでなければ出金を行うことができなかった。これに対して、この実施形態の出納機２０では、出金する際に、現金バス払い分の分類、及び出金する現金バス装置１０の選択（分類した現金を出金可能な現金バス装置１０の選択）を自動的に行い、現金バス装置１０との連携処理を行うため、オペレータの作業負担を大幅に軽減することができる。
【００９２】
（Ｂ）他の実施形態
本発明は、上記の実施形態に限定されるものではなく、以下に例示するような変形実施形態も挙げることができる。
【００９３】
（Ｂ−１）上記の実施形態において、出納機２０が、オペレータを認証する際に当該オペレータの権限をチェックして、現金バス装置１０から出金する権限を有している場合にのみ、現金バス装置１０と連携した出金を行うようにしてもよい。現金バス装置１０は収納庫１２か開錠されると中の現金を容易に取り出すことができるため、現金バス装置１０から出金可能なオペレータを制限する方が望ましい。
【００９４】
（Ｂ−２）上記の実施形態の出納機２０では、施封小束支払機２０２や棒金支払機２０５を備えているが、これらの構成を省略して、小束及び棒金については全て現金バス装置１０から出金する構成としてもよい。
【００９５】
（Ｂ−３）上記の実施形態の出納機２０では、出金の際いずれか１つの現金バス装置１０を選択して連携しているが、出納機２０は１つの出金取引について複数の現金バス装置１０を選択して出金するようにしてもよい。この場合、出納機２０の制御部２５は、現金バス装置１０ごとに連携番号及び出金内容（金種ごとの小束及び又は棒金の数）をレシートに印字する必要がある。例えば、現金バス装置１０−１に紙幣の小束のみが収納され、現金バス装置１０−２に硬貨の棒金のみが収納されている場合、出納機２０の制御部２５は、小束を現金バス装置１０−１から出金し、棒金を現金バス装置１０−２から出金するように連携する処理を行うことになる。
【００９６】
（Ｂ−４）上記の実施形態では、出納機２０からレシートを発行し、オペレータがレシートの内容を見て該当する現金バス装置１０を操作しているが、出納機２０がレシートを発行せずに、現金バス装置１０の制御のみを行うようにしてもよい。この場合、現金バス装置１０は、出納機２０からの制御に従って、収納庫１２を開錠する処理（オペレータが連携番号を入力した場合と同様の処理）を実行するようにしてもよい。また、この場合、出納機２０は、出金する現金バス装置１０（選択された現金バス装置１０）の現金バスＩＤを、操作表示部１５に表示して、オペレータに今回出金する現金バス装置１０を認識させるようにしてもよい。
【００９７】
（Ｂ−５）上記の実施形態では、図１のステップＳ１０６の処理で、出金取引に際して金種ごとの現金の数量入力を受付けているが、伝票金額（出金する金額の合計額）に基づいて、制御装置２０８（出金取引処理部２０８ｂ）自動的に金種ごとの現金の数量を決定するようにしてもよい。例えば、伝票金額が１０５万円であった場合、制御装置２０８（出金取引処理部２０８ｂ）は、出金金額について現金バス払い分として１００万円（万券の小束を１つ分）を分類し、機械払い分として５万円（万券をバラで５枚分）を分類するようにしてもよい。
【００９８】
（Ｂ−６）上記の実施形態では、制御装置２０８（出金取引処理部２０８ｂ）は、現金バス払い分として分類した現金を収納している現金バス装置１０を選択するものとして説明したが、当初現金バス払い分として分類した現金を出金可能な現金バス装置１０がない場合には、いずれかの現金バス装置１０（例えば、最も多い額を出金可能な現金バス１０）を選択して収納している分の現金だけを、当該現金バス装置１０から出金させるようにしてもよい。この場合、制御装置２０８（出金取引処理部２０８ｂ）は、選択した現金バス装置１０から出金可能な分だけを現金バス払い分として分類しなおし、それ以外の現金について機械払い分として分類しなおすことになる。
【００９９】
（Ｂ−７）上記の実施形態では、現金処理システム１００に複数の現金バス装置１０が配置されているが、１台の構成としてもよい。現金バス装置１０が１台となる場合、出納機２０（制御装置２０８）では、現金バス払い分の現金について出金する現金バス装置１０を選択する処理を省略するようにしてもよい。この場合、出納機２０（制御装置２０８）は、上述の図１に示すフローチャートの動作のうちステップＳ１０９の処理（現金バス装置１０の選択処理）を省略し、現金処理システム１００上で配置された１台の現金バス装置１０を用いた連携処理を行うことになる。また、現金処理システム１００に配置される現金バス装置１０が１台の場合、現金バス装置１０の選択処理を省略できるため、現金収納情報２１２ａの管理処理についても省略するようにしてもよい。さらに、現金処理システム１００に配置される現金バス装置１０が１台の場合、レシートから現金バスＩＤの記載を省略するようにしてもよい。
【符号の説明】
【０１００】
１００…現金処理システム、１０、１０−１、１０−２…現金バス装置、１１…現金バス装置本体、１２…収納庫、１５…操作表示部、２２…ロック機構、２３…表示部、２５…制御部、２６…記憶部、２７…通信ＩＦ、２８…センサ機構、２０…出納機、２０１…紙幣入出金機、２０２…施封小束支払機、２０３…紙幣補充回収機、２０４…新券支払機、２０５…棒金支払機、２０６…硬貨入出金機、２０７…現金外ポスト、２０８…制御装置、２０９…認証プリンタ、２１０…ディスプレイ、２１１…キーボード、２１２…記憶部、２１３…通信ＩＦ。
【図１】
0006505419.tif 000002
【図２】
0006505419.tif 000003
【図３】
0006505419.tif 000004
【図４】
0006505419.tif 000005
【図５】
0006505419.tif 000006
【図６】
0006505419.tif 000007
【図７】
0006505419.tif 000008
【図８】
0006505419.tif 000009